(57)【要約】【課題】内容物を傷付ける心配が無く、円滑な開封作業ができると共に、部品点数も少なく製造工程が簡易で低コストの開箱具を提供する。【解決手段】開箱具１は、把持部材３と、把持部材３の先端に延設させた扁平で且つ肉厚のある合成樹脂材で形成した先端部材２から成り、前記先端部材２へ先端方向と幅方向の外側に向けて徐々に肉薄としたテーパー部２ａを形成すると共に、該先端部材２のテーパー部２ａの外周縁に沿って金属材料で形成した開封用の薄片４を被覆させる。【選択図】図１
0003221231.tif 000002
【実用新案登録請求の範囲】
【請求項１】
把持部材と、該把持部材の先端に延設させた扁平で且つ肉厚のある合成樹脂材で形成した先端部材から成り、前記先端部材へ先端方向と幅方向の外側に向けて徐々に肉薄としたテーパー部を形成すると共に、該先端部材のテーパー部には金属材料で形成した開封用の薄片を突出させて被覆させたことを特徴とする開箱具。
【請求項２】
前記先端部材の開封用の薄片で被覆されない部位は、梱包箱の突合部に埋没しない程度の肉厚部が設けられていることを特徴とする請求項１記載の開箱具。
【考案の詳細な説明】
【技術分野】
【０００１】本考案の開箱具は、段ボール箱等の包装箱に収納された物品を取り出すために開箱する工具に関するものであり、安全且つ効率良く使用することが可能な開箱具に関するものである。
【背景技術】
【０００２】  従来より、段ボール箱や類似の包装箱は、フラップ同士の突合部に粘着テ−プを貼って封緘することが多い。そのため、開封に際しては、粘着テ−プを剥したり、フラップの突合部にカッタ−ナイフを挿入して切断する。【０００３】  しかしながら、カッターナイフは先端が鋭利であり、粘着テープの破断時に挿入し過ぎて内容物を傷つける等の問題あり、また、このような開封作業は開封者の手加減が必要であることから、非常に神経を使う面倒な作業であった。これらの状況に対して専用の開封具が考案されている。例えば、実用新案公開平成１年第１３２５０６号では、フラップ同士の突合部に挿入させるための舌片や開封刃を設けている。
【先行技術文献】
【特許文献】
【特許文献】実用新案公開平成１年第１３２５０６号
【特許文献】実用新案登録第３０３６０５３号
【考案の概要】
【考案が解決しようとする課題】
【０００４】  ところが、前述の従来の開封具は、いわば、カッターの改良であり、先端部分に鋭利な刃が設けられているために、危険であり、また、構造が複雑であることから、製造が難しく、コスト高になるという問題があった。【０００５】本考案は、極めて簡素な構造で、より簡単に開封作業ができ、その際、梱包箱内の収納物を傷付ける心配のない開箱具を提供するものである。
【課題を解決するための手段】
【０００６】  本考案は、この問題を解消するために、本考案は、把持部材と、該把持部材の先端に延設させた扁平で且つ肉厚のある合成樹脂材で形成した先端部材から成り、前記先端部材へ先端方向と幅方向の外側に向けて徐々に肉薄としたテーパー部を形成すると共に、該先端部材のテーパー部には金属材料で形成した開封用の薄片を突出させて被覆させた開箱具である。【０００７】  これにより、作業者は適宜な圧力を与えるだけで、簡単に開封作業ができ、収納物を傷付けることなく開封できる。【０００８】  また、先端部材の開封用の薄片で被覆されない部位は、梱包箱の突合部に埋没しない程度の肉厚部が設けられているために、先端部材を過度に挿入させることがないために、梱包箱内の内容物を傷つける恐れが無い。そして、全体が極めて簡素な構造であることから、低コストを工具を提供することが可能となった。
【考案の効果】
【０００９】  本考案の開箱具は、上記の如く構成したため、開箱具の先端部の外形状に沿った金属製の開封用の薄片により、円滑に開封作業を行うことができ、肉厚部のストッパー効果により、内容物を傷付ける心配が無い。そして、開箱具は合成樹脂製でできているので、作業者部品点数も少なく製造工程が簡易で低コストで提供することができる。
【図面の簡単な説明】
【００１０】
【図１】本考案の実施例の開箱具の説明図である。
【図２】本考案の実施例の開箱具を示す側面図である。
【図３】本考案の実施例の開箱具を示す上面図である。
【図４】本考案の実施例の開箱具の使用状態を示す概要図である。
【考案を実施するための形態】
【００１１】以下、本考案の実施例を図面に基づいて説明する。
【００１２】  図１は、本考案の実施例の開箱具の説明図であり、図２は、本考案の実施例の開箱具を示す側面図であり、図３は、本考案の実施例の開箱具を示す上面図であり、図４は、本考案の実施例の開箱具の使用状態を示す概要図である。
【００１３】  本考案の開箱具１は、図４に図示の如く、段ボール等の包装箱５のフラップ５ａ．５ａ同志を付き合わせ、その突合部５ｂに対して粘着テープ６を外側から貼付して包装した包装箱５を開封するための工具を開示する。
【００１４】  実施例に示した開箱具１は、図１乃至図４に図示の如く、プラスチック等の弾性変形が可能な硬質の部材で形成した扁平な先端部材２と、該先端部材２の基端へ一体に延設させた同材質の把持部材３とで構成されている。これらは、別部材を接合しても良いが、好適には、一体的に形成することができる。
【００１５】  図示の実施例においては、前記先端部材２は、面内で三角形状に形成されている。この形状は、図４に図示の如く、所定の角度で開封作業をする場合に適している。
【００１６】  本考案の開箱具１は、図２に図示の如く、前記先端部材２の端部へ先端縁に向けて肉薄としたテーパー部２ａを形成している。これは、段ボール等の包装箱５のフラップ５ａ．５ａ同志の突合部５ｂである外作業箇所に対して良く馴染む形であるだけでなく、先端のみを肉薄として基端は肉厚とした肉厚部２ａを形成したことにより、梱包箱５の突合部５ｂに粘着テープ６を破断しながら先端を挿入させた場合に、一定の深さ以上には挿入しない様に、肉厚部２ｂがストッパーの役目を果たしている。
【００１７】  そして、先端部の外形状に沿った形状で、金属製の開封用の薄片４が突出させて被覆されていることから、当該部分で粘着テープ６を破断して挿入することができる。この金属製の開封用の薄片４は、０．１ｍｍ〜０．２ｍｍ程度の薄い金属材料であり、これにより、適度な切断力を与える。
【００１８】  また、本考案の開箱具１は、前記開封用の薄片４が被覆されていない箇所では、先端部材２が適宜にやや変形して撓るため、未熟練者でも包装テープ６を破断する際に自然な圧力を加えることができる。
【００１９】  本考案の開箱具１を用いて包装箱５の開封差作業を行うには、図４に図示の如く、包装箱５のフラップ５ａ．５ａの突合部５ｂの包装テープ６に、開箱具１の先端部材２の開封用の薄片４の先端部分を当てて、強く押圧する。
【００２０】この際、肉厚部２ｂは、ストッパーの役割を果たし、それ以上の挿入は留まった状態となる。
【００２１】  次いで、この状態で把持部材３をフラップ５ａ．５ａの突合部５ａに沿って引くことにより、包装テープ６を破断して開封することができる。尚、開封用の薄片４は金属製であることから、経時に亘り塑性変形せずに使用できるので、常に均一で安定した開封作業を実現させることができる。
【符号の説明】
【００２２】１  開箱具
２  先端部材
２ａ  テーパー部
２ｂ  肉厚部
３  把持部材
４  開封用の薄片
５  包装箱
５ａ  フラップ
５ｂ  突合部
６  粘着テープ
【図１】
0003221231.tif 000003
【図２】
0003221231.tif 000004
【図３】
0003221231.tif 000005
【図４】
0003221231.tif 000006